(57)【特許請求の範囲】
【請求項１】
所定の画像ファイル形式の画像データを用いて、写真感光材料に画像を焼付露光することで写真プリントを作成する写真処理装置と、
画像ファイル形式とは異なる非画像ファイル形式の非画像データにより構成されるファイルを取得可能なコンピュータと、
前記写真処理装置と前記コンピュータを接続し、前記コンピュータにより取得された非画像データに基づいて、前記写真処理装置が写真プリントを作成できるように構成した写真プリント作成システムであって、
前記コンピュータにインストールされるプリンタドライバが、取得された非画像データの１ページ分のデータサイズを設定する用紙サイズ設定手段と、
取得された非画像データの１ページ分を１枚の写真プリントとして出力する場合の、出力サイズを設定する出力サイズ設定手段と、
用紙サイズ設定手段による設定の有効・無効を設定する手段と、
を備え、
前記用紙サイズ設定手段による設定を有効にすると、当該用紙サイズ設定手段で設定された用紙サイズが維持された状態で、前記出力サイズ設定手段で設定された出力サイズの写真プリントとして出力し、
前記用紙サイズ設定手段による設定を無効にすると、非画像データの１ページ分を前記出力サイズ設定手段で設定された出力サイズの写真プリントとして出力するように構成したことを特徴とする写真プリント作成システム。
【請求項２】
請求項１に記載の写真プリント作成システムに用いられるコンピュータにインストールされるプリンタドライバであって、
取得された非画像データの１ページ分のデータサイズを設定する用紙サイズ設定手段と、
取得された非画像データの１ページ分を１枚の写真プリントとして出力する場合の、出力サイズを設定する出力サイズ設定手段と、
用紙サイズ設定手段による設定の有効・無効を設定する手段と、
を備え、
前記用紙サイズ設定手段による設定を有効にすると、当該用紙サイズ設定手段で設定された用紙サイズが維持された状態で、前記出力サイズ設定手段で設定された出力サイズの写真プリントとして出力し、
前記用紙サイズ設定手段による設定を無効にすると、非画像データの１ページ分を前記出力サイズ設定手段で設定された出力サイズの写真プリントとして出力するように構成したことを特徴とするプリンタドライバ。
【請求項３】
プリントの余白部に設けられる目印であるトンボの設定の有効・無効を設定する手段を備えたことを特徴とする請求項２に記載のプリンタドライバ。
【発明の詳細な説明】
【０００１】
【発明の属する技術分野】
本発明は、写真処理装置とコンピュータとをネットワーク等により接続し、コンピュータで作成されたデータを用いて写真処理装置により写真プリントを作成するための写真プリント作成システム及びこのシステムに用いられるプリンタドライバに関する。
【０００２】
【従来の技術】
近年において普及しつつあるデジタル式の写真処理装置の基本的な機能は、現像済みの写真フィルム（ネガフィルムやポジフィルム）から画像をスキャナーで読み取り、これをデジタルデータ化し、このデジタルの画像データを用いて写真感光材料に画像を焼付露光し、写真プリントを作成する。また、画像を焼付露光するための露光エンジンが設けられている。このように、画像データを用いて写真プリントを作成することができる。さらに、画像形成媒体として、写真フィルムだけでなく、各種記録媒体（ＣＤ−Ｒ、ＭＯ、デジタルカメラ用の記憶メディア等）からも画像データを取得して、同じように写真プリントを作成することができる。
【０００３】
しかしながら、上記の写真処理装置で扱うことができるのは、あくまでも画像データである。画像データは、所定の画像ファイル形式、例えば、ビットマップ、ＪＰＥＧ等のファイルで構成されている。これらの画像ファイル形式の画像データを用いて、写真プリントを作成することができる。一方、 画像データ以外の非画像データを用いて写真プリントを作成したいという要望がある。例えば、ＷｏｒｄTM等のワープロソフトで作成した文書データ、ＥｘｃｅｌTM等の表計算ソフトで作成したグラフ・表のデータ、パワーポイントTM等で作成したプレゼンテーション用のデータ等、その種類は多岐にわたる。また、文書データと画像データとを組み合わせたような複合データも存在する。
【０００４】
これらの非画像データは、通常はパソコンを用いて作成され、インクジェットプリンタやレーザープリンタ等のプリンタ（以下、写真処理装置（写真プリンタ）と区別するため「通常のプリンタ」と称する。）を用いて、紙に印刷することはできる。しかし、紙よりも画質の高い写真として出力したいという要望がある。例えば、学会発表する論文等のように、より高品質の画像が形成された写真プリントとして得たいという要望がある。
【０００５】
【発明が解決しようとする課題】
ところで、非画像データで作成したファイル（例えば、ワープロで作成した文書データ）を通常のプリンタで紙に印刷しようとする場合、そのサイズ（用紙サイズ）は日本工業規格で定められているものが用いられる。例えば、Ａ４，Ａ３，Ｂ４，Ｂ５がよく用いられている用紙サイズの系列である。また、かかる通常のプリンタも同様にＡ４，Ａ３，Ｂ４，Ｂ５の用紙サイズの用紙をセットできるようになっている。
【０００６】
一方、写真処理装置における写真プリントのサイズ（出力サイズ）は、上記の用紙サイズの系列とは全く異なる系列のものが採用されている。例えば、サービスサイズ、２Ｌ、２Ｅ、８つ切、６つ切、４つ切等である。上記の日本工業規格の用紙サイズの写真プリントを作成することはできないため、例えば、Ａ４サイズの文書をどのように写真プリントとして作成すべきかを決める必要がある。
【０００７】
本発明は上記実情に鑑みてなされたものであり、その課題は、写真プリントの出力サイズとは異なる系列のサイズで作成された非画像データを、写真プリントとして出力できるようにするための写真プリント作成システム及びこのシステムに用いられるプリンタドライバを提供することである。
【課題を解決するための手段】
上記課題を解決するため本発明に係る写真プリント作成システムは、
所定の画像ファイル形式の画像データを用いて、写真感光材料に画像を焼付露光することで写真プリントを作成する写真処理装置と、
画像ファイル形式とは異なる非画像ファイル形式の非画像データにより構成されるファイルを取得可能なコンピュータと、
前記写真処理装置と前記コンピュータをネットワークにより接続し、前記コンピュータにより取得された非画像データに基づいて、前記写真処理装置が写真プリントを作成できるように構成した写真プリント作成システムであって、
前記コンピュータにインストールされるプリンタドライバが、
取得された非画像データの１ページ分のデータサイズを設定する用紙サイズ設定手段と、
取得された非画像データの１ページ分を１枚の写真プリントとして出力する場合の、出力サイズを設定する出力サイズ設定手段とを備えたことを特徴とするものである。
【０００８】
この構成による写真プリント作成システムの作用・効果は、以下の通りである。すなわち、 写真処理装置とコンピュータとをネットワーク等により接続する。そして、コンピュータにより取得された非画像データを用いて、写真処理装置で写真プリントを作成することができる。なお、ネットワークにより接続する場合、写真処理装置とコンピュータの台数については、特に限定されるものではない。
【０００９】
また、コンピュータにインストールされるプリンタドライバは、用紙サイズ設定手段と、出力サイズ設定手段とを備えている。つまり、用紙サイズと出力サイズとを別々に独立して設定することができる。出力サイズとは、写真プリントのサイズである。これにより、例えば、Ａ４サイズで作成された文書データを写真プリントとして出力しようとする場合、出力サイズとしてＡ４サイズよりも大きなサイズの出力サイズを設定すれば、Ａ４サイズの文書を写真プリントとして作成できることになる。その結果、写真プリントの出力サイズとは異なる系列のサイズで作成された非画像データを、写真プリントとして出力できるようにするための写真プリント作成システムを提供することができる。
【００１０】
本発明に係る写真プリント作成システムに用いられるコンピュータにインストールされるプリンタドライバは、
取得された非画像データの１ページ分のデータサイズを設定する用紙サイズ設定手段と、
取得された非画像データの１ページ分を１枚の写真プリントとして出力する場合の、出力サイズを設定する出力サイズ設定手段とを備えたことを特徴とするものである。
本発明の好適な実施形態として、前記用紙サイズ設定手段による設定の有効・無効を設定する手段を備えているものがあげられる。
【００１１】
プリンタドライバの機能として、用紙サイズの設定の有効・無効を設定することができる。例えば、用紙サイズがＡ４の文書データを出力サイズ（プリントサイズ）がａ×ｂインチの写真感光材料に焼付露光する場合を考える。 用紙サイズの設定を有効にすれば、Ａ４のデータサイズが維持された状態で、ａ×ｂインチのプリントにデータが出力される。また、用紙サイズを無効に設定すれば、文書データによるページ構成を出力サイズに合致した形で出力する。
【００１２】
以上のように、写真プリントの出力サイズを考慮した形で、非画像データに基づいて写真プリントを作成することができる。
【００１３】
【発明の実施の形態】
本発明に係る写真プリント作成システムの好適な実施形態を図面を用いて説明する。図１は、写真店等において設置される写真プリント作成システムの構成例を示す模式図である。
【００１４】
＜写真プリント作成システム＞
このシステムは、写真処理装置１と、複数台のパソコン２と、画像データ取得装置３とをネットワーク４により接続して構成する。なお、写真処理装置１と画像データ取得装置３は図１では１台のみ示しているが、これを複数台接続して構成しても良い。また、接続されるパソコン２の台数についても限定されるものではない。ネットワーク４は、例えば、イーサネットTMによるＬＡＮで構築され、ネットワーク機器をハブ４ａを介して接続する。もちろん、イーサネットTM以外のネットワークであってもよい。
【００１５】
写真処理装置１は、画像データを用いて印画紙等の写真感光材料に画像を焼付露光し、写真プリントを作成する。写真処理装置１は、少なくとも第１プリントモードと第２プリントモードを設定することができる。第１プリントモードでは、スキャナー装置５により現像済みネガフィルムの画像を読み取り、これをデジタルデータ化し、このデジタルの画像データを用いて写真プリントを作成することができる。第２プリントモードでは、ネットワーク経由で送信されてくる画像データを用いて、写真プリントを作成することができる。
【００１６】
パソコン２は、画像データのみならず画像データ以外の各種のデータ（これを非画像データと称する。 ）を取り扱うことができる。例えば、ワープロソフトで作成した文書データ、表計算ソフトで作成したグラフ・表のデータ、プレゼンテーション用のデータ等がある。また、文書と画像が組み合わされたデータもあるが、これも非画像データと称する。 これら非画像データに関しても、通常のプリント（インクジェットプリンター、レーザプリンター等による紙に印刷するプリント）ではなく、写真プリントとして得たいという要望がある。そこで、本システムでは、画像データ以外の非画像データを用いて写真プリントを作成できるようにシステムを構築している。そのため、ネットワーク４に接続される各パソコン２には、プリンタドライバがインストールされ、非画像データを画像データに変換することができる（詳細は後述）。
【００１７】
画像データ取得装置３は、各種記録媒体から画像データを取得することができる。この記録媒体としては、例えば、ＣＤ−Ｒ、ＭＯ，デジタルカメラの記憶メディア（スマートメディア、コンパクトフラッシュTM、メモリースティック等）等があげられる。また、画像データは所定の画像ファイル形式、例えば、ビットマップ、ＪＰＥＧ，ＴＩＦＦ，ＧＩＦ等で取得される。
【００１８】
写真店における処理の流れを簡単に説明する。写真店のカウンター６で顧客から写真プリント作成の注文を受ける。注文を受けると、オーダーの控えを顧客に渡す。ここで、非画像データファイルを顧客から受け取った場合、そのファイルが保存されている記録媒体（例えば、フレキシブルディスク）をパソコンにセットし、非画像ファイルをパソコン内部に取り込む。そして、プリンタドライバにより、プリント処理するための種々の項目を設定すると共に、 非画像データを画像データに変換し、ネットワーク経由で写真処理装置１に送信する。写真処理装置１は、受け取った変換処理済みの画像データを用いて写真プリントを作成する。仕上がりの写真プリントは、検品され、画質的にＯＫであれば、顧客が写真店に写真プリントを受け取りに来た時に、写真プリントを手渡し、写真店はプリント代金を受け取る。画質的に問題があれば、パソコン２により画像補正を行い、再度プリント処理を行う。なお、画像データのファイルを顧客から預かって、写真プリントを作成する場合も同様である。
【００１９】
＜システムのブロック構成図＞
次に、図１に示される写真プリント作成システムの機能ブロック構成を図２により説明する。なお、ここに示される機能は本発明の構成を説明するために必要な部分のみを示す。
【００２０】
図２に示すように、写真処理装置１（プリンタプロセッサー）には、ネットワーク４経由で送信されてくるオーダー情報を管理するネットオーダー部１０が設けられており、ネットオーダー部１０の一部の機能としてネットフォルダ部１１が設けられている。これらネットオーダー部１０やネットフォルダ部１１は、写真処理装置１の内部に設けられたコンピュータに、プログラムをインストールすることにより構築することができる。このプログラムは、普段はハードディスクに保存されており、作業を行う時にメモリにプログラムデータが格納される。
【００２１】
データ受付手段１０ａは、ネットワーク経由で送信されてくるプリント処理すべき画像データをオーダー単位で受け付ける。データ管理手段１０ｂは、データ受付手段１０ａにより受け付けた画像データをオーダー単位で管理をする。例えば、プリント処理をすべき順番や、付帯データ（プリントサイズ、プリント枚数、面質等）の管理を行う。オーダー変更手段１０ｃは、データ管理手段１０ｂで管理しているオーダーを変更することができる。例えば、プリント処理の順番を変更することができる。データ受け渡し手段１０ｄは、プリント処理を実際にしようとするときに、管理されている画像データをプリント処理すべき順番に基づいて、画像処理基板１３へと受け渡す。表示制御手段１０ｅは、データ管理手段１０ｂにより管理されている状況と、プリンター部１２におけるプリント処理の進行状況とを同じ表示画面に並べてモニター１７に表示させる。また、その他の種々の処理画面を表示させる。
【００２２】
なお、オーダーの意味であるが、適宜設定することができる。例えば、画像１枚を１オーダー、文書データの場合は１ページあるいは全ページ（１ファイル）を１オーダー、データ（ファイル）が格納されるフォルダを１オーダーとすることができる。写真フィルムの場合は、フィルム１本が１オーダーとされる。
【００２３】
データ管理手段１０ｂにより管理される画像データは、ネットワーク４に接続された各パソコン２から送信されてくる画像データと、同じく画像データ取得装置３から送信されてくる画像データである。
【００２４】
ネットフォルダ部１１は、主として画像データ取得装置３の管理を行う。データ受付手段１１ａは、画像データ取得装置３から送信されてくるプリント処理すべき画像データをオーダー単位で受け付ける。フォルダ監視手段１１ｂは、ネットワーク４に接続されている画像データ取得装置３内のフォルダ内にプリント処理すべきデータが格納されているか否かを定期的に監視する。
【００２５】
データ取込手段１１ｃは、写真処理装置１内のハードディスク１５に画像データを格納するのに十分な空き容量があれば（後述するＨＤ容量監視手段の機能に基づく）、画像データ取得装置３から画像データを取り込む。画像データ変換手段１１ｄは、画像データ取得装置３から取り込んだ画像データの画像ファイル形式がビットマップではない場合（ＪＰＥＧ，ＴＩＦＦ，ＧＩＦ等）に、これを所定の画像ファイル形式であるビットマップに変換する。これは、実際に画像を写真感光材料に焼付露光する場合は、ビットマップに変換する必要があるからである。
【００２６】
プリンター部１２は、画像データを用いて写真感光材料に画像を焼付露光する。そのために、露光エンジン１２ａが設けられている。露光エンジン１２ａとしては、例えば、レーザーエンジン、ＰＬＺＴエンジン、ＣＲＴエンジン等の種々の構造のものがある。これらは、写真感光材料を副走査方向に沿って搬送させながら、露光光を主走査方向に繰り返し走査させることで、２次元画像を写真感光材料の乳剤面に焼付露光する。写真感光材料は、現像処理・乾燥処理が施された後に、写真プリントとして装置外部に排出される。
【００２７】
画像処理基板１３は、画像データのプリント処理を行う前に、種々の画像処理を行う。画像処理としては、例えば、プリント処理を行う前に画像をモニターに表示させ、色・濃度が適切にプリントされるか否かを判断し、必要に応じて色・濃度の補正を行うものがある。また、顧客の依頼に応じて、階調補正等の種々の補正を行う場合がある。その他に、カラーマネジメントシステムに基づく画像処理がある。
【００２８】
メモリ１４は、各種作業・処理を行うために一時的な保存場所等として用いられる。ハードディスク１５は、大容量の記憶装置であり、プリント処理すべき画像データは一旦ここに保存される。すなわち、 ネットオーダー部１０やネットフォルダ部１１により受け付けられた画像データ及びそれに付随する付帯データは、このハードディスク１５に保存されることになる。
【００２９】
ＣＰＵ１６は、各種の制御・演算を行う中核部分である。モニター１７は、プリント処理を行うために必要な情報が視覚的に表示される。先ほど説明した、ネットオーダー部１０における管理状況、またプリント処理を行う前の画像も表示させることができる。キーボード１８は、各種データを入力する入力装置である。また、写真処理装置１に対する指令を与えることができる。
【００３０】
ＯＳ（オペレーティングシステム）１９は、基本ソフトウェアであり、ハードウェアに対する直接的な制御を行う。その機能の一部として、ＨＤ容量監視手段１９ａが設けられている。これは、ハードディスク１５の空き容量を監視することができる。ネットオーダー部１０とネットフォルダ部１１は、ネットワーク経由で画像データを取り込むが、この画像データはハードディスク１５に保存されるため、空き容量があるかないかを監視する必要がある。空き容量がなければ、画像データの取り込みは行わないようにしている。また、ネットオーダー部１０とネットフォルダ部１１は、直接ハードウェアに対してアクセスは行わず、その場合はＯＳ１９の機能を利用する。
【００３１】
次に、パソコン２について説明する。パソコン２には、プリンタドライバ２０と呼ばれるプログラムがインストールされる。一般的に、 パソコン２に市販のプリンターを接続して、データを印刷しようとする場合には、そのパソコン２には接続されるプリンターのプリンタドライバが必要である。本発明におけるプリンタドライバ２０は、写真処理装置１を市販のプリンターと同じ感覚で操作できるようにするものである。ただし、写真処理装置１は市販のプリンターとは異なる機能、すなわち、 写真プリントを作成するという機能を有するため、プリンタドライバ２０に要求される機能も特徴がある。
【００３２】
パソコン２で取り扱うデータは、顧客からの依頼に応じてパソコン２に取り込まれるデータであり、非画像データがメインとなる。ただし、この非画像データをそのまま写真処理装置１に送信しても写真処理装置１はこれを用いて写真プリントを作成することはできない。そこで、プリンタドライバ２０の機能として、データ変換手段２０ａが設けられている。このデータ変換手段２０ａは、非画像データをビットマップの画像データに変換処理する。なお、この変換処理を写真処理装置１において行う構成も考えられる。その場合は、写真処理装置１のＣＰＵに負担をかけることになり、プリント処理の能力を低下させる。したがって、プリント処理の効率を考慮すれば、画像データへの変換処理は、夫々のパソコン２のプリンタドライバ２０により行うようにすることが好ましい。
【００３３】
プリントデータ設定部２０ｂは、写真プリントを行うために必要なデータ（画像データに付帯する付帯データ）を設定する。例えば、プリントサイズの設定やプリント枚数等である。変換処理された画像データと付帯データがいっしょに写真処理装置１へと送信される。
【００３４】
また、プリンタドライバ２０は、写真処理装置１から付帯データ（写真処理装置１の状態を理解するためのデータを含む。 ）を取得することができる。この付帯データに基づいて、上記プリントデータ設定部２０ｂにて、プリント処理するための特定の付帯データ（例えば、複数のプリントサイズの中から特定の１つを設定する）を設定することができる。すなわち、 プリンタドライバ２０は、写真処理装置１の状態を把握する機能を有し、プリンタドライバ２０から送信されるデータは、そのまま写真処理装置１において用いることができる。
【００３５】
その他の構成として、プリント処理すべき非画像データの入力を行う入力部２１（フレキシブルディスク駆動装置等）、ハードディスク、ＣＰＵ、モニター、キーボード等が設けられている。
【００３６】
画像データ取得装置３には、顧客の依頼に係るプリント処理すべき画像データの入力を行う入力部３０と、画像データを保存しておくハードディスク３１と、顧客の依頼に係る画像データとその付帯データとをオーダー単位で１つのファイルにまとめるデータ処理部３２と、ＣＰＵ、モニター、キーボード等を備えている。オーダーファイルは、ハードディスク３１の所定の場所に格納される。
【００３７】
なお、画像データ取得装置３は、写真処理装置１の状態を把握する機能は有していない。そのため、画像データ取得装置３から送信されるデータは、そのまま写真処理装置１にて用いることができるとは限らない。例えば、写真処理装置１にてセットされていない写真感光材料のプリントサイズが指定されていることもあるからである。そのために、先ほど説明したネットフォルダ部１１が仲介する役割を果たすことになる。
【００３８】
＜ネットオーダー画面＞
既述したように、写真処理装置１は第１・第２プリントモードを設定することができる。ネットワーク経由で受け付けられる画像データのプリント処理を行う時は、モニター１７にモード設定画面（不図示）を表示させ、第２プリントモードを選択する。この第２プリントモードにおいて、モニター１７に表示される表示画面の構成例を図３に示す。
【００３９】
メッセージ表示エリア４０には、その時の状況に応じた適切なメッセージを表示する。プリント処理が開始されていないときは、図示のように「プリントを開始するには［スタート］キーを押してください」と表示される。オーダーのプリント中には、「受付番号＃＃をプリント中」と表示する。また、１オーダーの全プリント枚数のうち、現在何枚プリント完了したのかを随時表示することが好ましい。
【００４０】
スタートキー４１は、これをクリックすると、プリント処理を開始する。データ受け渡し手段１０ｄの機能により、画像データをハードディスク１５から画像処理基板１３へと送る。スタートキーを押すと、「スタート」という表示が「ストップ」に切り換わる。よって、この状態でキーを押すと、プリント処理を終了する。ただし、プリント処理はオーダー単位で行うため、オーダーの途中でプリント処理を中断することはなく、１オーダー分のプリント処理を待ってから終了する。
【００４１】
オーダーリストエリア４２は、データ管理手段１０ｂにより管理されているオーダーの内容を表示する。また、受付中のオーダーも表示される。オーダーは、受け付けた順番に先頭から表示され、先頭から順番にプリント処理される。プリント処理が完了したオーダーは、オーダーリストから削除され、管理対象から外される。図３にオーダーリストを構成する各項目が表示される。
【００４２】
「受付番号」はネットオーダー部１０やネットフォルダ部１１でオーダーを受け付けた場合に、自動的に割り振られる番号を表示する。「状況」は、現在のオーダーの状態を表示する。例えば、「プリント中」「プリント待ち」「保留」である。「ペーパー」にはペーパー（写真感光材料）の幅と面質を表示する。「コマ数」は、そのオーダーの処理すべき全コマ数を表示する。「サイズ」は、オーダーの全データサイズを表示する。「受付日時」は、そのオーダーを受け付けた日時を表示する。「ホスト」は、プリント処理を依頼したパソコン２、画像データ取得装置３のホスト名を表示する。ＣＴ−１と表示されているのは、画像データ取得装置３のホスト名である。「ユーザー」は、プリント処理を依頼したパソコン２や画像データ取得装置３のユーザー名を表示する。
【００４３】
オーダー状況エリア４３には、受け付けたオーダーの数を表示する。 また、オーダー受け付け用のハードディスク１５の空き容量を表示する。このハードディスク１５には、受け付けた画像データ及び付帯データが保存される。ここに保存された画像データと付帯データは、プリント処理が完了した後に削除される。
【００４４】
オーダー操作エリア４４の各ボタンを操作することで、処理すべきオーダーの順番を変更することができる。また、オーダーの状況を「保留」にしたり、オーダーそのものを削除することもできる。保留に設定されると、そのオーダーはプリント処理の順番が回ってきても、プリント処理はされない。以上は、オーダー変更手段１０ｃの機能である。
パラメータ表示エリア４５は、現在オーダーリストで選択されれているオーダーのプリントパラメータを表示する。例えば、プリント処理の有無、インデックスプリント作成の有無、メディア出力（画像データを各種記録媒体に書き込むこと）の有無、写真感光材料の送り長さ・幅・枚数、価格シート発行の有無等を表示する。 これらは、画像データと共に送信されてくる付帯データに基づいて表示されるものである。
【００４５】
さらに、パラメータ表示エリア４５の詳細ボタンをクリックすると、オーダーデータの詳細が表示される。これを図４に示す。ここには、１オーダー分の各画像データのファイル名、そのファイルのサイズ、プリントサイズ等が表示される。
【００４６】
ファンクションボタン４６をクリックすると、例えば、次のような機能を発揮できる。１つは、ネットフォルダの登録を行うことができる（後述）。また、オーダーの受け付け履歴を表示させることができる。受付履歴表示として表示する項目は、ホスト名、ユーザー名、受付日時、プリント処理完了日時、受付番号、全プリント枚数、ペーパー幅・面質、全コマ数、インデックスプリントサイズ等を表示する。これにより、過去にどのようなオーダーを受け付けたかを直ちに確認することができる。
【００４７】
プリント状態表示エリア４７は、機器情報、オーダー情報、プロセッサー情報を表示する。機器情報として、ペーパーに関する情報、例えば、ペーパーの搬送状態、ペーパーマガジンにセットされているペーパーの幅・面質・残容量を表示する。オーダー情報としては、そのオーダーのプリント結果を表示する。例えば、ホスト名、ユーザー名、全プリント枚数、プリントサイズ、リピート枚数（焼き付け枚数）等が表示される（不図示）。また、プロセッサー情報として、各現像処理液の処理液温度等の情報を表示する。 終了ボタン４８を押すと、ネットオーダー表示画面を終了する。
【００４８】
＜ネットフォルダ登録画面＞
次に、 ネットフォルダ登録画面の構成例を図５により説明する。これは、ネットワーク４に接続されている画像データ取得装置３のオーダー（画像データ及び付帯データ）が格納されるフォルダを登録するためのものである。写真処理装置１のネットフォルダ部１１は、登録されたフォルダを所定時間間隔ごと（例えば数秒間隔）に監視する。 そのフォルダに未処理のオーダー（所定形式のファイル）があれば、そのオーダーを処理する。
【００４９】
図５において、ネットフォルダ登録リスト５０には、登録されているネットフォルダの一覧が表示される。左側にチェックボックスが設けられており、チェックが入っておればネットフォルダが有効になる。すなわち、 ネットフォルダが監視される。チェックがない場合は、ネットフォルダが無効となり、ネットフォルダの監視はされない。マシン名には、画像データ取得装置３のマシン名が表示される。「ネットワークパス」には、画像データ取得装置３のオーダーが格納されているフォルダのパス（ネットワーク上の格納場所）が表示される。「接続状況」には、写真処理装置１と画像データ取得装置３との接続状況が表示される。正常に接続されておれば、「ＯＫ：接続」と表示する。
【００５０】
登録ボタン５１や修正ボタン５２をクリックすると、図６に示すネットフォルダ登録・修正画面を表示させ、ネットフォルダの新規登録や修正が可能である。削除ボタン５３をクリックすると、ネットフォルダを削除することができる。終了ボタン５４をクリックすると、ネットフォルダ登録画面を終了する。
【００５１】
図６は、ネットフォルダ登録・修正画面を示す図である。ネットワークパスには、画像データ取得装置３のオーダーが格納されるフォルダのパスを入力する。なお、画像データ取得装置３の当該フォルダは、共有状態にあらかじめ設定しておく。ユーザー名には、フォルダを参照する時のログインユーザー名を入力する。パスワードにも同様にログインパスワードを入力する。「ＹＥＳ：ＯＫ」ボタンをクリックすることで、入力した情報が登録される。「キャンセル」ボタンをクリックすることで、入力した情報を破棄し、元の画面に復帰する。
【００５２】
＜プリンタドライバの表示画面＞
次に、パソコン２にインストールされるプリンタドライバに関して説明する。図７は、プリンタドライバ２０を使用してプリント処理を写真処理装置１に依頼する場合、種々の項目設定をするための表示画面の構成例を示す図である。
【００５３】
図７には基本設定を行う場合の表示画面の構成例が示される。ここで特徴は、用紙サイズと出力サイズの両方を設定できることである。パソコン２に入力されるデータは、もともと非画像データであり、例えば文書データであれば、日本工業規格で定められたＡ４，Ｂ４，Ｂ５等のように書類のサイズとして一般的に用いられている用紙サイズに基づいてデータが作成される。かかる非画像データを、一般的なプリンターで印刷する場合には、Ａ４，Ｂ４，Ｂ５等の大きさの紙をプリンターにセットし、作成されている文書データの大きさに対応した印刷物を得ることができる。
【００５４】
しかしながら、写真処理装置１において作成される写真プリントのプリントサイズには、Ａ４，Ｂ４，Ｂ５というサイズは存在しない。プリントサイズとしては、サービスサイズ、２Ｌ、２Ｅ、８切、６切、４切等（これらが出力サイズに相当する。）があり、紙のサイズとは異なる規格により定められている。したがって、用紙サイズと出力サイズとを夫々独立して設定できるようにしている。これらは夫々、プリンタドライバ２０の有する機能であり、用紙サイズ設定手段、出力サイズ設定手段に相当するものである。
【００５５】
また、用紙サイズの設定を有効にするか否かを設定するチェックボックスが設けられている。用紙サイズの設定を有効にすると、非画像データから画像データに変換処理をする場合に、その用紙サイズを維持したまま変換処理がなされる。また、用紙サイズを無効にすると、変換処理をする場合に、非画像データの大きさを出力サイズに合致させるような処理も合わせて行われる。
【００５６】
この用紙サイズと出力サイズとの関係を図１１により説明する。この図において、用紙サイズ（１ページ分のデータサイズ）を図番６０で示し、出力サイズ（プリントサイズ）を図番６１で示す。１ページ分のデータサイズを用いて１枚の写真プリントを作成するようにしている。図１１（ａ）は、用紙サイズの設定を有効に設定した場合において、用紙サイズがＡ４で出力サイズが１０＊１２（単位はインチ）の場合である。すなわち、 出力サイズのほうが用紙サイズよりも大きく設定されている。この場合は、用紙サイズ６０が出力サイズ６１のちょうど中央に来るように自動設定される。したがって、周囲の用紙サイズよりも外側の領域Δも用紙サイズ６０の設定位置により自動的に決まる。さらに、トンボの有無を設定することができる。トンボ６２とは、図１１（ａ）にその形状を１例として示すように、プリントの余白部に設けられる目印のことをいう。これは、用紙サイズよりも大きなサイズでプリントされるため、トンボをプリントすることで、写真プリントを用紙サイズにカットするときの目印にすることができる。なお、トンボの設定を無効にすれば、トンボはプリントされない。
【００５７】
また、図１１（ｂ）は、用紙サイズの設定を有効にした場合において、 用紙サイズよりも出力サイズのほうが小さくなるように設定した場合である。この場合は、データが一部カットされることになる。カットされる場合も、周囲が均等にカットされる。
次に、用紙サイズの設定を無効にした場合（チェックボックスにチェックを入れない場合）であるが、この場合は、データサイズと出力サイズとが一致した形で写真プリントの作成が行われる。すなわち、 １ページ分のデータサイズが出力サイズとなるように設定される。したがって、データがカットされることなく、写真プリントが作成される。
【００５８】
さらに、図７に示すウィンドウを開いたときに、写真処理装置１のネットオーダー部１０から付帯データ（写真処理装置１の状態を理解するためのデータを含む）を取得する。この付帯データを得るために、ネットオーダー部１０とプリンタドライバ２０の間で適宜のタイミングで交信が行われている。この付帯データに基づいて、図７における設定される範囲も決まる。例えば、出力サイズで設定できる範囲は、そのプリンタドライバに係る写真処理装置にセットされているペーパーマガジン（写真感光材料のサイズ等）によって決まるものである。また、ペーパーマガジンに収容されている写真感光材料の残量長さも知ることができる。ペーパーマガジンが２機装着可能な写真処理装置１の場合は、夫々のペーパーマガジンについて状態が表示される。
その他、印刷の向き、印刷部数（プリント枚数）の設定を行うことができる。
【００５９】
＜プリント受付からプリント完了までの処理手順＞
＜＜パソコンの場合＞＞
次に、プリント受付からプリント処理完了までの手順を図８のフローチャートにより説明する。
【００６０】
顧客からワープロソフトで作成した文書データ（非画像データ）を写真プリントとして出力して欲しいという依頼があったものとして説明する。写真店のオペレータは、顧客から預かったフレキシブルディスク等の記録媒体をパソコン２の入力部２１にセットして、データを取り込む（＃１）。次に、 そのデータを取り扱うことのできるアプリケーション・ソフトウェアを用いて、その非画像データのファイルを開く（＃２）。そして、メニューから「印刷」を選択すると、図７に示すような表示画面が表れる。
この画面を見ながら、各種のプリントデータの設定を行う（＃３）。設定が完了すると、ＯＫボタンをクリックする（＃４）。すなわち、 用紙サイズ、出力サイズ、用紙サイズの設定有効・無効、トンボの有無等の設定を行う。そして、非画像データをビットマップの画像データに変換処理する（＃５）。ついで、画像データ及び付帯データ（各種プリントデータ）を１オーダー分の情報として写真処理装置１に送信する（＃６）。なお、非画像データが数ページにわたる場合は、１ページで１画像である。データを送信する場合は、まずｎ枚分の画像データを先に送信し、最後に付帯データを送信する。付帯データが送信されてきたことで、オーダーの切れ目であることが分かる。
【００６１】
写真処理装置１においては、画像データを受け入れるだけのハードディスクの空き容量があるか否かを監視している（＃７）。もし空き容量がなければ、画像データ等の格納が出来ないので、その場合は、所定時間経過後にリトライする。そして、ハードディスク１５に空き容量があれば、そのオーダーのデータを受け付け、ハードディスク１５に画像データ及び付帯データを保存する（＃８）。
【００６２】
なお別実施形態として、付帯データの中にハードディスク１５の空き容量の情報を含ませて、これをプリンタドライバ２０に送信しておき、送信前段階でステップ＃７をチェックするように構成してもよい。
【００６３】
受け付けられたオーダーは、ネットオーダー部１０により管理される。そして、そのオーダーのプリント処理の順番が来たか否かを判断する（＃９）。プリント処理の順番が来ると、画像データを画像処理基板１３へと転送する（＃１０）。そして画像処理が実行され（＃１１）、プリンター部１２にてプリント処理が行われる（＃１２）。プリント処理の経過は、図３で説明したネットオーダー画面のプリント状態表示エリア４７に表示される。プリント処理が完了すると、写真プリントが装置外部に排出され、オーダー単位でソータに集積される。写真プリントは、設定された内容に従い、図７に示すような形でプリントされる。
一方、プリント処理が完了すると、そのオーダーはオーダーリストから削除され（＃１３）、ハードディスク１５に保存されている画像データ及び付帯データも削除される（＃１４）。なお、削除するタイミングは、プリント処理が完了した直後でなくてもよい。例えば、焼き増し処理に備えて、しばらくの間保存しておいても良い。
【００６４】
＜＜画像データ取得装置の場合＞＞
次に、画像データ取得装置３により取得された画像データを用いてプリント処理を行う場合の手順を図９のフローチャートにより説明する。まず、顧客から預かった画像データが保存された記録媒体を入力部３０にセットし、画像データを取り込む（＃２０）。画像データが複数枚ある場合も１オーダーとして扱うためのデータ処理を行う（＃２１）このときに、プリント処理をするために必要な付帯データもあわせて設定される。１オーダー分のデータを１つのオーダーファイルとして、画像データ取得装置３のハードディスク３１の所定のフォルダに保存する。このデータは、写真処理装置１からのアクセスに基づいて送信されることになる。
【００６５】
次に、 写真処理装置１により画像データ取得装置３のデータを取り込んでプリント処理を行う場合の手順を図１０のフローチャートにより説明する。まず、ネットフォルダ部１１は、フォルダ監視タイミングが来たかどうかを判断する（＃３０）。監視タイミングが来た場合に、ハードディスク１５の空き容量があるか否かを判断する（＃３１）。空き容量がなければ、次の監視タイミングで再度チェックをする。空き容量が存在すれば、ネットフォルダに登録されているフォルダを見に行く。そのフォルダに処理すべきデータが格納されているか否かを判断する（＃３２）。データがなければ、ステップ＃３０に戻る。なお、ネットフォルダが複数登録されていれば、すべてのフォルダについてデータ有無のチェックを行う。
【００６６】
データが存在すれば、そのフォルダから画像データ及び付帯データを取り込む（＃３３）。ネットフォルダ部１１に受け付けられると、画像データの画像ファイル形式がビットマップでなければ、これをビットマップに変換する（＃３４）。ビットマップに変換された後、ハードディスク１５にデータが保存される。なお、それ以後の処理手順は図８の場合と同様に行われる。
＜別実施形態＞
写真処理装置の構造は、本実施形態のものに限定されるものではなく、種々の構造のものを採用することができる。例えば、スキャナー装置５の機能を写真処理装置本体とは別体ではなく、本体の内部に組み込んでも良い。また、画像処理部（イメージプロセッサー）とプリンター部とが別体になっているような写真処理装置でもよい。
【００６７】
本実施形態では、パソコン２は非画像データのみを取り扱っているが、画像データを取り扱っても良いのは当然である。この場合は、パソコンが画像データ取得装置として機能することになる。この場合、プリンタドライバはビットマップ以外の画像ファイル形式をビットマップに変換する機能を持たせる必要がある。ネットワーク４は有線で接続しているが、これを無線ＬＡＮにより構成しても良い。有線と無線を組み合わせてもよい。
パソコン２により取得される非画像データは、パソコン２を用いて作成しても良い。また、ネットワーク４がインターネットに接続されている場合は、インターネット経由で取得（ダウンロード）しても良い。
【図面の簡単な説明】
【図１】写真プリント作成システムの構成例を示す模式図
【図２】システムの機能ブロック構成を示す図
【図３】ネットオーダー表示画面の構成例
【図４】オーダーデータ詳細画面の構成例を示す図
【図５】ネットフォルダ登録画面の構成例を示す図
【図６】ネットフォルダ登録・修正画面の構成例を示す図
【図７】プリンタドライバによる表示画面の構成例を示す図
【図８】プリント受付からプリント処理までの手順を示すフローチャート（非画像データの場合）
【図９】画像データ取得装置で画像データを取得する時の手順を示すフローチャート
【図１０】プリント受付からプリント処理までの手順を示すフローチャート（画像データの場合）
【図１１】用紙サイズと出力サイズとの関係を示す図
【符号の説明】
１      写真処理装置
２      パソコン
３      画像データ取得装置
４      ネットワーク
１０    ネットオーダー部
１０ａ  データ受付手段
１０ｂ  データ管理手段
１０ｃ  オーダー変更手段
１０ｄ  データ受け渡し手段
１０ｅ  表示制御手段
１１    ネットフォルダ部
１１ｂ  フォルダ監視手段
１１ｃ  データ取込手段
１１ｄ  画像データ変換部
１２    プリンター部
１３    画像処理基板
１５    ハードディスク
１９ａ  ＨＤ容量監視手段
２０    プリンタドライバ
２０ａ  データ変換手段
２０ｂ  プリントデータ設定手段
６０    用紙サイズ
６１    出力サイズ
６２    トンボ
【図１】
0003821372.tif 000002
【図２】
0003821372.tif 000003
【図３】
0003821372.tif 000004
【図４】
0003821372.tif 000005
【図５】
0003821372.tif 000006
【図６】
0003821372.tif 000007
【図７】
0003821372.tif 000008
【図８】
0003821372.tif 000009
【図９】
0003821372.tif 000010
【図１０】
0003821372.tif 000011
【図１１】
0003821372.tif 000012